(57)【要約】【課題】台形歪補正の補正量を設定するメニュー以外の設定操作中に、メニュー設定を終了することなく、台形歪補正を実行することができるプロジェクターを提供する。【解決手段】画像投写手段と、台形歪補正手段と、補正量設定手段（制御手段）とを備えたプロジェクターにおいて、台形歪補正の補正量以外のメニュー設定中に補正量の変更動作を検出した場合（ステップＳ２０１）、メニュー設定画像を投写しながら台形歪補正を実行する（ステップＳ２０４）。【選択図】図９
2015156601.tif 000002
【特許請求の範囲】
【請求項１】
光源から射出された光を、入力される画像信号に基づく画像情報に応じて変調し、投写面に投写する画像投写手段を有するプロジェクターであって、
前記投写面に投写された投写画像の台形歪を補正する補正量に基づき、前記投写画像の台形歪補正を実行する台形歪補正手段と、
前記補正量を含む当該プロジェクターの複数の設定項目を所定のメニュー設定画像によって設定するメニュー設定を行うメニュー設定手段と、
を備え、
前記メニュー設定手段が前記複数の設定項目のうち、前記補正量以外の設定を行っている場合において、前記補正量の変更動作を検出したとき、前記メニュー設定画像の投写を保持しながら前記台形歪補正を実行することを特徴とするプロジェクター。
【請求項２】
請求項１に記載のプロジェクターであって、
前記メニュー設定を行うためのメニュー設定操作、および前記複数の設定項目のうち、前記補正量を設定するための補正量設定操作を独立して受け付ける入力操作手段をさらに備えたことを特徴とするプロジェクター。
【請求項３】
請求項１または２に記載のプロジェクターであって、
当該プロジェクターの設置角度を検出する角度検出手段をさらに備え、
前記補正量は、検出された前記設置角度に基づき、設定されることを特徴とするプロジェクター。
【請求項４】
請求項１から３のいずれか一項に記載のプロジェクターであって、
前記台形歪補正手段は、前記メニュー設定において前記台形歪補正を実行する際に、前記補正量を示す補正状況画像を、前記投写画像に重畳して投写させることを特徴とするプロジェクター。
【請求項５】
光源から射出された光を、入力される画像信号に基づく画像情報に応じて変調し、投写面に投写する画像投写手段を有するプロジェクターの制御方法であって、
前記投写面に投写された投写画像の台形歪を補正する補正量を設定する補正量設定ステップと、
前記補正量に基づき、前記投写画像の台形歪補正を実行する台形歪補正ステップと、
当該プロジェクターの複数の設定項目を所定のメニュー設定画像によって設定するメニュー設定ステップと、
前記メニュー設定ステップが前記台形歪を補正する補正量以外の設定を行っている場合において、前記補正量の変更動作を検出したとき、前記メニュー設定画像の投写を保持しながら前記台形歪補正を実行する制御ステップと、
を有することを特徴とするプロジェクターの制御方法。
【発明の詳細な説明】
【技術分野】
【０００１】
本発明は、プロジェクター、およびプロジェクターの制御方法に関する。
【背景技術】
【０００２】
画像をスクリーン等の投写面に投写するプロジェクターにおいて、投写面に対してプロジェクターの設置位置が正対していない場合に投写画像に歪みが生じる（投写歪）。例えばスクリーンに対してプロジェクターを上下または左右方向に傾けて投写する、あおり投写を行った場合、投写面に表示される画像が台形状に歪む現象（台形歪）が生じる。このため、特許文献１のように、光変調装置で画像を形成する際に台形歪を相殺するように歪ませた画像を形成することによって投写画像を補正（台形歪補正）するプロジェクターが知られている。
【先行技術文献】
【特許文献】
【０００３】
【特許文献１】特開平９−２６１５６８号公報
【特許文献２】特開２００３−２８３９６３号公報
【発明の概要】
【発明が解決しようとする課題】
【０００４】
このような台形歪補正の処理を行う場合、投写中の画像を確認しながら操作キーにより、補正量を調整する。プロジェクターには画質調整や各種機能などの設定項目を設定するメニュー設定があり、投写中の画像にメニュー設定画像を重畳し、カーソルキー、決定キーなどにより設定を行う。ここで、台形歪補正の補正量を設定するメニュー以外の設定操作を行っていたときに、台形歪補正を行う必要が生じた場合、この設定操作を終了して、台形歪補正のための設定を行う必要がある。そのため、深いメニュー階層の設定を行っている場合、台形歪補正の補正量を設定した後に元の設定画面に戻るのに煩雑な操作をしなければならないという問題があった。
また、近年は特許文献２のように、プロジェクターの設置角度を自動検出して、台形歪補正を行うプロジェクターも開示されているが。このようなプロジェクターにおいても、メニュー設定中に設置角度の変化を検出した場合、設定中の動作を終了して台形歪補正の補正量設定状態に入ってしまうため、元の設定操作画面に戻すための操作が必要になるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を、入力される画像信号に基づく画像情報に応じて変調し、投写面に投写する画像投写手段を有するプロジェクターであって、前記投写面に投写された投写画像の台形歪を補正する補正量に基づき、前記投写画像の台形歪補正を実行する台形歪補正手段と、前記補正量を含む当該プロジェクターの複数の設定項目を所定のメニュー設定画像によって設定するメニュー設定を行うメニュー設定手段と、を備え、前記メニュー設定手段が前記複数の設定項目のうち、前記補正量以外の設定を行っている場合において、前記補正量の変更動作を検出したとき、前記メニュー設定画像の投写を保持しながら前記台形歪補正を実行することを特徴とする。
【０００７】
本適用例によれば、台形歪補正の補正量以外のメニュー設定を行っているときに、実行中のメニュー設定を終了せずに台形歪補正を行うことが可能となる。
【０００８】
［適用例２］上記適用例に記載のプロジェクターにおいて、前記メニュー設定を行うためのメニュー設定操作、および前記複数の設定項目のうち、前記補正量を設定するための補正量設定操作を独立して受け付ける入力操作手段をさらに備えたことが好ましい。
【０００９】
本適用例によれば、台形歪補正の補正量以外のメニュー設定操作を行っているとき、設定操作を継続したまま、台形歪補正の補正量を設定するための補正量設定操作を独立して行うことが可能となる。
【００１０】
［適用例３］上記適用例に記載のプロジェクターにおいて、当該プロジェクターの設置角度を検出する角度検出手段をさらに備え、前記補正量は、検出された前記設置角度に基づき、設定されることが好ましい。
【００１１】
本適用例によれば、台形歪補正の補正量以外のメニュー設定を行っているとき、設定中のメニュー設定を終了せずに角度検出手段が検出した設置角度に基づき、台形歪補正を行うことが可能となる。
【００１２】
［適用例４］上記適用例に記載のプロジェクターにおいて、前記台形歪補正手段は、前記メニュー設定において前記台形歪補正を実行する際に、前記補正量を示す補正状況画像を、前記投写画像に重畳して投写させることが好ましい。
【００１３】
本適用例によれば、台形歪補正の補正量以外のメニュー設定を行っているときに投写画像の台形歪補正を行う場合、台形歪補正量を示す補正状況画像が投写されるので、メニュー設定中に台形歪補正が行われていることをユーザーに報知し、適切な補正量の設定、または設置位置の変更を促すことが可能となる。
【００１４】
［適用例５］本適用例に係るプロジェクターの制御方法は、光源から射出された光を、入力される画像信号に基づく画像情報に応じて変調し、投写面に投写する画像投写手段を有するプロジェクターの制御方法であって、前記投写面に投写された投写画像の台形歪を補正する補正量を設定する補正量設定ステップと、前記補正量に基づき、前記投写画像の台形歪補正を実行する台形歪補正ステップと、当該プロジェクターの複数の設定項目を所定のメニュー設定画像によって設定するメニュー設定ステップと、前記メニュー設定ステップが前記台形歪を補正する補正量以外の設定を行っている場合において、前記補正量の変更動作を検出したとき、前記メニュー設定画像の投写を保持しながら前記台形歪補正を実行する制御ステップと、を有することを特徴とする。
【００１５】
本適用例によれば、台形歪補正の補正量以外のメニュー設定を行っているとき、設定中のメニューを終了せずに台形歪補正を行うことが可能となる。
【図面の簡単な説明】
【００１６】
【図１】本実施形態に係るプロジェクターの回路構成を示すブロック図。
【図２】液晶ライトバルブを示す正面図。
【図３】リモートコントローラーの平面図。
【図４】プロジェクターの設置角度検出の原理を説明する模式図。
【図５】台形歪を説明するための説明図。
【図６】台形歪補正を説明するための説明図。
【図７】投写されたメニュー設定画像の一例を示す図。
【図８】プロジェクターのメニュー設定の動作を示すフローチャート。
【図９】プロジェクターが台形歪補正の補正量以外のメニュー設定中に補正量変更動作を検出したときの動作を示すフローチャート。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（実施形態）
図１は、本実施形態のプロジェクター１の回路構成を示すブロック図である。
図１に示すように、プロジェクター１は、画像入力端子６、画像投写手段１０、台形歪補正手段１５、ＯＳＤ処理手段１６、画像信号処理手段１７、画像信号入力手段１８、角度検出手段１９、制御手段２０、記憶手段２１、光源制御手段２２、本体操作手段２３、操作信号受信手段２４、リモートコントローラー（リモコン）２５、電源端子３０、電源部３１等で構成されており、これらは図示しない筐体の内部または外面に収容されている。
【００１９】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２１】
図２は、液晶ライトバルブ１２Ｒ，１２Ｇ，１２Ｂを示す正面図である。液晶ライトバルブ１２Ｒ，１２Ｇ，１２Ｂは、一対の透明基板間に液晶が封入された液晶パネル等によって構成される。図２に示すように、各透明基板の内面には、液晶に対して微小領域（画素１２ｐ）毎に駆動電圧を印加可能な透明電極（画素電極）が、矩形の領域（画素領域１２ａ）内にマトリックス状に形成されている。
【００２２】
液晶駆動手段１４が、入力される画像情報に応じた駆動電圧を各画素１２ｐに印加すると、各画素１２ｐは、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写され投写画像となる。
【００２３】
本実施形態では、光源として光源ランプ１１ａを用いて投写するプロジェクター１を例示したが、本発明は、光源としてＬＥＤ（Light emitting diode）光源やレーザー光源などを用いて投写するプロジェクターにも適用することができる。
【００２４】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２５】
図１に戻り、制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。また、制御手段２０は補正量設定手段を有し、補正量設定手段は、台形歪補正の補正量を設定し、台形歪補正情報２１ａとして記憶手段２１に記憶させる。また、制御手段２０は、メニュー設定手段を有し、メニュー設定手段は、後で詳細に説明するが、メニュー設定画像Ｍ１（図７参照）によりプロジェクター１の複数の設定項目を設定する。また、制御手段２０は、図示しない時間を計時するタイマーを含む。
【００２６】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では記憶手段２１は、台形歪補正情報２１ａを保存する。台形歪補正情報２１ａとしては、台形歪補正の補正方向（垂直方向、水平方向）、補正量、角度検出手段１９の検出した設置角度に対応する補正量などがある。台形歪補正手段１５は、台形歪補正情報２１ａに基づき投写画像に台形歪補正を実行する。
【００２７】
本体操作手段２３は、プロジェクター１の図示しない筐体に備えられ、プロジェクター１に対して各種指示を行うための複数の操作キーを備えている。本体操作手段２３は、後述するリモコン２５が備える操作キーと同様の操作キーを有している。ユーザーが本体操作手段２３の各種操作キーを操作すると、本体操作手段２３は、ユーザーの操作内容に応じた操作信号を制御手段２０に出力する。
【００２８】
リモコン２５は本体操作手段２３と同等の操作キーを備え、プロジェクター１に対して各種指示を行う。
図３はリモコン２５の平面図である。図３に示すように、リモコン２５は、電源のオン・オフを交互に切り替えるための電源キー２５ａや、複数の画像入力端子６を切り替えるための入力切替キー２５ｂ、各種設定を行うためのメニュー設定画像等を重畳表示させるためのメニューキー２５ｃ、メニュー設定画像等で設定項目の選択等に用いられるカーソルキー２５ｄ（上下左右に対応する４つの操作キー）、選択された設定項目を確定させる決定キー２５ｅ、動作の取り消し等を行うためのエスケープキー２５ｆ、台形歪補正の補正量を設定するための台形歪補正キー２５ｇ等を備える。
ユーザーがリモコン２５の各種操作キーを操作すると、リモコン２５はユーザーの操作内容に応じた赤外線等の操作信号を発し、操作信号受信手段２４がこれを受信して制御手段２０に伝達する。
【００２９】
図１に戻り、操作信号受信手段２４は、赤外線受信部等を有して構成され、リモコン２５から発せられた操作信号を受信し、制御情報として制御手段２０に伝達する。本体操作手段２３、リモコン２５、および操作信号受信手段２４が入力操作手段に相当する。
【００３０】
角度検出手段１９は、加速度センサー１９ａ（図４参照）等を有して構成され、制御手段２０の指示に基づいて、プロジェクター１の設置角度を検出する。そして、検出した設置角度を制御手段２０に通知する。
【００３１】
ここで、プロジェクター１の設置角度を検出する方法について説明する。図４は、プロジェクター１の設置角度検出の原理を説明する模式図である。本図は、プロジェクター１とその設置面Ｈ、およびスクリーンＳＣを側方から表した図である。設置面Ｈは水平であるものとする。本実施形態ではプロジェクター１の設置角度の検出に、加速度センサー１９ａを用いる。加速度センサー１９ａは、プロジェクター１内部に実装されており、図４に示すように、プロジェクター１の前後方向に延出する軸１ａに沿って働く重力加速度を検出する。
【００３２】
プロジェクター１が設置面Ｈに対して水平に設置された場合、加速度センサー１９ａへの重力加速度は、鉛直下向き方向に作用する。このため、軸１ａに沿う方向（プロジェクター１の前後方向）に重力加速度が生じないため、加速度センサー１９ａの出力は０になる。
一方、図４に示すように、プロジェクター１が設置面Ｈに対して設置角度θを有して傾斜して設置されると、図示するように、軸１ａに沿う方向の重力加速度成分は、ｇ・ｓｉｎθとなる。加速度センサー１９ａは、この重力加速度成分に応じた電圧を出力する。これにより、角度検出手段１９は、加速度センサー１９ａから出力された電圧値に基づいてプロジェクター１の設置角度を検出することができる。
なお、本実施形態では、加速度センサー１９ａを用いて角度検出手段１９を構成しているが、プロジェクター１の設置角度を検出できる構成であれば、加速度センサー１９ａに限定するものではない。
【００３３】
図１に戻り、光源制御手段２２は、制御手段２０の指示に基づいて、光源１１に対する電力の供給と停止とを制御し、光源１１の点灯、および消灯を切り替える。
【００３４】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００３５】
画像信号処理手段１７は、制御手段２０の指示に基づき、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３６】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３７】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、台形歪補正手段１５に出力される。
なお、制御手段２０からＯＳＤ画像を重畳する旨の指示がない場合には、ＯＳＤ処理手段１６は、画像信号処理手段１７から入力される画像情報を、そのまま台形歪補正手段１５に出力する。
【００３８】
台形歪補正手段１５は、スクリーンＳＣに対してプロジェクター１を傾けた状態で画像を投写する場合に、投写画像が傾斜方向に拡大してしまう歪（台形歪）を抑制するために、入力される画像データの補正（台形歪補正）を行う。本体操作手段２３、またはリモコン２５から入力される台形歪補正指示の情報や、角度検出手段１９が検出したプロジェクター１の設置角度の情報に基づいて、制御手段２０は、台形歪補正手段１５に対して台形歪補正の実施を指示し、台形歪補正手段１５は台形歪補正を実施する。
【００３９】
台形歪補正とは、画像データから画素値の間引きを行って、傾斜方向に向かうほど投写画像を縮小させるものであり、台形歪補正手段１５は、補正後の画像データを液晶駆動手段１４に出力する。
なお、台形歪補正を行わない場合には、ＯＳＤ処理手段１６から出力される画像データが、そのまま液晶駆動手段１４に出力される。
【００４０】
液晶駆動手段１４が、台形歪補正手段１５より入力される画像情報、即ち画素１２ｐ毎の画素値に従って液晶ライトバルブ１２Ｒ，１２Ｇ，１２Ｂを駆動すると、画像情報に応じた画像が投写レンズ１３より投写され、スクリーンＳＣの投写面に投写画像が表示される。
【００４１】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４２】
次に、台形歪補正手段１５による台形歪補正について、図５、および図６を用いて説明する。
図５は、台形歪を説明するための説明図であり、画像データに対して台形歪補正を施していない場合を説明するための図である。ここで、同図（ａ）は、液晶ライトバルブ１２Ｒ，１２Ｇ，１２Ｂを光入射面側から見た正面図、同図（ｂ）は、プロジェクター１が水平に投写を行う様子を示す側面図、同図（ｃ）は、そのときにスクリーンＳＣに表示される投写画像を示す正面図である。また、同図（ｄ）は、プロジェクター１が傾けられた状態で投写する様子を示す側面図であり、同図（ｅ）は、そのときにスクリーンＳＣに表示される投写画像を示す正面図である。
【００４３】
なお、図５において、液晶ライトバルブ１２Ｒ，１２Ｇ，１２Ｂに向かって左右方向（水平方向の左右）を±ｘ方向、上下方向（垂直方向の上下）を±ｙ方向とし、スクリーンＳＣに向かって左右方向（水平方向の左右）を±Ｘ方向、上下方向（垂直方向の上下）を±Ｙ方向とする。ここで、スクリーンＳＣのＸ方向およびＹ方向は、それぞれ液晶ライトバルブ１２のｘ方向、およびｙ方向に対応するものであり、例えば、画素領域１２ａの右上（＋ｘ，＋ｙ側）の画素を透過した光は、スクリーンＳＣの右上（＋Ｘ，＋Ｙ側）に投写される。
【００４４】
また、図５において、画素領域１２ａや投写画像Ｇａ内に示した格子状の模様は、画素領域１２ａに形成された画像と、スクリーンＳＣに投写された投写画像Ｇａとの対応を示すために補助的に付加した線であり、実際にこのような模様を表示することを意味するものではない。
【００４５】
図５（ａ）に示すように、台形歪補正を行わない場合には、液晶ライトバルブ１２Ｒ，１２Ｇ，１２Ｂは、台形歪補正手段１５から入力される画像データに基づいた画像（入力画像Ｇｉ）を画素領域１２ａの全体で形成する。つまり、この場合には、入力画像Ｇｉを形成するための領域（画像形成領域１２ｉ）は、画素領域１２ａと一致する。ここで、図５（ｂ）、（ｃ）に示すように、プロジェクター１が水平に設置され、スクリーンＳＣに対して傾きのない投写を行う場合には、スクリーンＳＣに表示される投写画像Ｇａ（入力画像Ｇｉ）は、画素領域１２ａと同じ矩形状となる。
【００４６】
一方、図５（ｄ）、（ｅ）に示すように、プロジェクター１をスクリーンＳＣに対して傾けて設置し、上方（＋Ｙ方向）に向けて投写を行う場合には、スクリーンＳＣに表示される投写画像Ｇａは、傾斜方向（＋Ｙ方向）に向かうほど、±Ｘ方向および＋Ｙ方向に拡大されて台形状に歪む。
【００４７】
上述したように、＋Ｙ方向（垂直方向）の傾斜投写を行った場合を例にして台形歪補正について説明する。
図６は、台形歪補正を説明するための説明図であり、同図（ａ）は、液晶ライトバルブ１２Ｒ，１２Ｇ，１２Ｂを光入射面側から見た正面図、同図（ｂ）は、傾斜投写を行う場合にスクリーンＳＣに表示される補正画像としての投写画像を示す正面図である。なお図６において、画素領域１２ａや投写画像Ｇａ内に示した格子状の模様は、図５と同様に、補助的に付加した線である。
【００４８】
台形歪補正手段１５は、ＯＳＤ処理手段１６から入力される画像データから画素値の間引きを行い、補正を行わない場合に比べて、投写画像Ｇａが傾斜方向（＋Ｙ方向）に向かうほど縮小するような補正を施す。
【００４９】
具体的には、図６（ａ）に示すように、液晶ライトバルブ１２Ｒ，１２Ｇ，１２Ｂの画素領域１２ａに、補正を行わない場合の投写画像Ｇａ（図５（ｅ）参照）と反対向きの台形形状、即ち傾斜方向（＋ｙ方向）に向かうほど横幅が縮小する形状の画像形成領域１２ｉを設定する。さらに、画像データから、あおり投写による拡大の程度が高い位置ほど多くの画素値を間引くことにより、この画像形成領域１２ｉ内に入力画像Ｇｉを形成する。
また、台形歪補正手段１５は、画像形成領域１２ｉの外側の領域１２ｎに含まれる各画素１２ｐの光透過率が最小となるように画像データを補正する。
【００５０】
この結果、図６（ｂ）に示すように、傾斜投写によって図５（ｅ）で示した入力画像Ｇｉの歪みが補正されるとともに、領域１２ｎに対応する投写画像Ｇａ内の領域Ｇｎには光がほとんど照射されないことから、入力画像Ｇｉは、正規の形状（矩形状）でスクリーンＳＣに表示される。なお、画素値の間引きに伴う階調情報の欠落を補うために、間引きの対象となる画素に近接する画素の画素値を、間引かれる画素値に応じて補正することが望ましい。
【００５１】
次に、本実施形態のプロジェクター１のメニュー設定画像の表示例を、図７を用いて説明する。プロジェクター１は、本体操作手段２３またはリモコン２５のメニューキー２５ｃが操作されると、メニュー設定画像を投写する。なお、本体操作手段２３またはリモコン２５の台形歪補正キー２５ｇが操作されること、または角度検出手段１９がプロジェクター１の設置角度の変化を検出したことを、「補正量の設定動作」と言う。
図７は、プロジェクター１が上方にあおり投写する場合における、投写されたメニュー設定画像Ｍ１の一例を示す図である。具体的に、図７（ａ）は、台形歪の補正前で、メニュー設定中の状態を示す図、同図（ｂ）は台形歪補正の補正量以外の設定中に、補正量の変更動作を検出したときの状態を示す図、同図（ｃ）は台形歪の補正量以外の設定中に、補正量の変更を行い、台形歪補正が終了した状態を示す図である。
上述したように、メニュー設定画像Ｍ１を用いてプロジェクター１の複数の設定項目を設定することを「メニュー設定を行う」と言う。設定項目には台形歪補正の補正量も含まれ、本体操作手段２３またはリモコン２５の台形歪補正キー２５ｇを用いなくてもメニュー設定により補正量を設定することができる。
【００５２】
図７（ａ）に示すように、プロジェクター１が上方にあおり投写する場合、台形歪の補正前では、投写画像および投写画像に重畳されるメニュー設定画像Ｍ１は、上に向かって拡大する。
図７（ａ）に示す状態において、本体操作手段２３、またはリモコン２５による台形歪補正操作を検出するか、また角度検出手段１９がプロジェクター１の設置角度の変化を検出し、台形歪補正の補正量の変更動作を検出した場合、図７（ｂ）に示すように、投写画像にメニュー設定画像Ｍ１に加え、台形歪補正の補正量を示す補正状況画像Ｐ１が重畳されて投写される。本実施形態の補正状況画像Ｐ１は、台形形状に模したアイコンと、アイコンの内側に表示される補正量に対応する数字とを表示する。投写画像は設定された補正量に基づき、台形歪補正手段１５により台形歪補正される。引き続き補正量の変更動作を検出した場合、補正状況画像Ｐ１が変化し、新たな補正量に基づき、台形歪補正が実行される。
【００５３】
そして、補正量の変更を最後に検出してから所定の時間が経過した場合、図７（ｃ）に示すように、補正状況画像Ｐ１が消去され、直前のメニュー設定の表示状態に戻る。再度、補正量の変更動作を検出した場合には図７（ｂ）に示す状態に遷移する。
【００５４】
次に、本実施形態のプロジェクター１の動作を図８、および図９のフローチャートを用いて説明する。図８はプロジェクター１のメニュー設定時の動作を示すフローチャート、図９はプロジェクター１が台形歪補正の補正量以外のメニュー設定中に補正量変更動作を検出したときの動作を示すフローチャートである。
【００５５】
〔メニュー設定動作〕
図８に示すように、プロジェクター１が動作中に本体操作手段２３またはリモコン２５のメニューキー２５ｃの操作によりメニュー設定を開始すると（ステップＳ１０１）、ステップＳ１０２に遷移する。
【００５６】
ステップＳ１０２において、制御手段２０は、図７（ａ）に示すようなメニュー設定画像Ｍ１を投写し、ステップＳ１０３に遷移する。
【００５７】
ステップＳ１０３において、制御手段２０は、本体操作手段２３またはリモコン２５の各操作キーによるメニュー設定操作を受け付けると、受け付けた操作に基づき、設定値を変更する。次にステップＳ１０４に遷移する。なお、ステップＳ１０３において受け付けた設定操作に応じ、メニュー設定画像Ｍ１を変更する。
【００５８】
ステップＳ１０４において、制御手段２０は、本体操作手段２３またはリモコン２５の操作キーによるメニュー設定の終了操作を受け付けたか否かを調べる。メニュー設定の終了操作を受け付けた場合（ステップＳ１０４：Ｙ）には、メニュー設定画像Ｍ１を消去し（ステップＳ１０５）、ステップＳ１０６に遷移する。メニュー設定の終了操作を受け付けていない場合（ステップＳ１０４：Ｎ）にはステップＳ１０３に遷移する。なお、ステップＳ１０１からステップＳ１０５がメニュー設定ステップに相当する。
【００５９】
ステップＳ１０６において、メニュー設定を終了し、元の動作に戻る。
【００６０】
〔補正量の変更動作を検出したときの動作〕
図９に示すように、台形歪補正の補正量を設定するメニュー以外の設定中に補正量の変更動作を検出すると（ステップＳ２０１）、制御手段２０は、検出した変更動作に基づき、台形歪補正の補正量を設定し、記憶手段２１の台形歪補正情報２１ａに保存する（ステップＳ２０２）。なお、ステップＳ２０２が補正量設定ステップに相当する。
【００６１】
ステップＳ２０３において制御手段２０は、図７（ｂ）に示すように、投写画像に補正量を示す補正状況画像Ｐ１を重畳して投写させ、ステップＳ２０４に遷移する。
【００６２】
ステップＳ２０４において制御手段２０は、設定された台形歪補正の補正量に基づき、台形歪補正手段１５に台形歪補正を実行させ、ステップＳ２０５に遷移する。なお、ステップＳ２０４が台形歪補正ステップに相当する。
【００６３】
ステップＳ２０５において制御手段２０は、タイマーによる時間の計時を開始し、ステップＳ２０６に遷移する。
【００６４】
ステップＳ２０６において制御手段２０は、補正量の変更動作を新たに検出したか否かを調べる。補正量の変更動作を検出した場合（ステップＳ２０６：Ｙ）には、ステップＳ２０２に遷移する。補正量の変更動作を検出していない場合（ステップＳ２０６：Ｎ）には、ステップＳ２０７に遷移する。
【００６５】
ステップＳ２０７において制御手段２０は、タイマーが所定の時間Ｔ１（例：１５秒）を経過したか否かを調べる。タイマーが時間Ｔ１を経過した場合（ステップＳ２０７：Ｙ）には、ステップＳ２０８に遷移する。タイマーが時間Ｔ１を経過していない場合（ステップＳ２０７：Ｎ）には、ステップＳ２０６に遷移する。
【００６６】
ステップＳ２０８において制御手段２０は、補正状況画像Ｐ１を消去し、ステップＳ２０９に遷移する。
ステップＳ２０９において、元の動作（メニュー設定動作）に戻る。なお、ステップＳ２０１からステップＳ２０８が制御ステップに相当する。
【００６７】
上述した実施形態によれば、以下の効果を得られる。
本実施形態のプロジェクター１によれば、台形歪補正の補正量以外のメニュー設定を行っているとき、実行中のメニュー設定を終了せずに台形歪補正を行うことが可能となる。
【００６８】
また、台形歪補正の補正量以外のメニュー設定を行っているとき、設定操作を継続したまま、台形歪補正の補正量を設定するための補正量設定操作を独立して行うことが可能となる。
【００６９】
また、台形歪補正の補正量以外のメニュー設定を行っているとき、実行中のメニュー設定を終了せずに角度検出手段１９が検出した設置角度に基づき、台形歪補正を行うことが可能となる。
【００７０】
また、台形歪補正の補正量以外のメニュー設定を行っているときに投写画像の台形歪補正を行う場合、台形歪補正量を示す補正状況画像Ｐ１が投写されるので、メニュー設定中に台形歪補正が行われていることをユーザーに報知し、適切な補正量の設定、または設置位置の変更を促すことが可能となる。
【００７１】
また、上記実施形態は、以下のように変更してもよい。
（変形例１）
上述した実施形態では本体操作手段２３、およびリモコン２５に各方向の台形歪を補正する台形歪補正キーを備えているが、台形歪補正キーを、台形歪補正の開始および終了を指示するキーとし、台形歪補正キーの操作後にカーソルキーを操作することで各方向の台形歪補正を実行するようにしてもよい。つまり、台形歪補正のための操作キーが一つで済むので、本体操作手段２３およびリモコン２５の操作キーを増やさずに台形歪補正を実行することが可能となる。
【００７２】
（変形例２）
上述した実施形態では垂直方向のあおり投写における台形歪補正について説明したが、水平方向の台形歪補正にも適用することができる。
【符号の説明】
【００７３】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…台形歪補正手段、１６…ＯＳＤ処理手段、１７…画像信号処理手段、１８…画像信号入力手段、１９…角度検出手段、１９ａ…加速度センサー、２０…制御手段、２１…記憶手段、２１a…台形歪補正情報、２２…光源制御手段、２３…本体操作手段、２４…操作信号受信手段、２５…リモートコントローラー、３０…電源端子、３１…電源部、ＳＣ…スクリーン、Ｍ１…メニュー設定画像、Ｐ１…補正状況画像。
【図１】
2015156601.tif 000003
【図２】
2015156601.tif 000004
【図３】
2015156601.tif 000005
【図４】
2015156601.tif 000006
【図５】
2015156601.tif 000007
【図６】
2015156601.tif 000008
【図７】
2015156601.tif 000009
【図８】
2015156601.tif 000010
【図９】
2015156601.tif 000011